(57)【要約】【課題】Ｘ線造影糸が織り込まれた医療用ガーゼにおいて、Ｘ線画像上での視認性を高めつつ、Ｘ線造影糸をちぎれ難くする。【解決手段】経糸２及び緯糸３を構成とする医療用ガーゼ１の所定の部位に、少なくとも１本のＸ線造影糸４を織り込む。Ｘ線造影糸４は、マルチフィラメント糸からる引張り強度の高い芯糸４Ａの周りをＸ線不透過性の造影剤を含有する熱可塑性樹脂からなる造影層４Ｂで被覆した複合糸とする。これにより、造影層４ＢによってＸ線画像上での造影性及び視認性を高めることができ、また、引張り強度の高い芯糸４ＡによってＸ線造影糸４を千切れ難くすることができる。【選択図】図１
2011239827.tif 000002
【特許請求の範囲】
【請求項１】
互いに交差する複数の経糸及び緯糸を構成糸とし、少なくとも１本の構成糸としてＸ線造影糸が織り込まれた医療用ガーゼであって、
前記Ｘ線造影糸は、引張り強度が高い芯糸の周りをＸ線不透過性の造影層で被覆した複合糸であることを特徴とする医療用ガーゼ。
【請求項２】
前記造影層は、Ｘ線不透過性の造影剤を含有する熱可塑性樹脂であることを特徴とする請求項１に記載の医療用ガーゼ。
【請求項３】
前記芯糸は、マルチフィラメント糸であることを特徴とする請求項１又２に記載の医療用ガーゼ。
【発明の詳細な説明】
【技術分野】
【０００１】
本発明は、Ｘ線造影糸が織り込まれた医療用ガーゼに関するものである。
【背景技術】
【０００２】
医療用ガーゼは、手術等において、患者の体内で使用される場合、血液、体液等を吸収して、臓器、組織との区別がつきにくくなるため、体内に取り残さないように細心の注意が払われる。また、一般的にガーゼの繊維は、Ｘ線画像に写らないため、術後、体内に取り残されたガーゼの有無を確認することは困難であった。
【０００３】
そこで、例えば特許文献１に記載されているように、ガーゼにＸ線造影糸を織り込み、術後、Ｘ線撮影により、ガーゼの取り残しを容易に確認できるようにした医療用ガーゼが種々提案されている。
【０００４】
従来、医療用ガーゼに織り込まれるＸ線造影糸としては、例えば、硫酸バリウム、硫酸ナトリウム等のＸ線不透過性の造影剤を含有する熱可塑性樹脂等で形成した単一のフィラメントからなるモノフィラメント糸、あるいは、ポリ塩化ビニル、ポリプロピレン、ポリエステル、ポリエチレン、ポリスチレン及びシリコン等で成形された繊維状樹脂に造影剤を混合して製糸したフィラメントを撚り合せたマルチフィラメント糸が用いられている。
【先行技術文献】
【特許文献】
【０００５】
【特許文献１】特開２００７−３３０４２５号公報
【発明の概要】
【発明が解決しようとする課題】
【０００６】
しかしながら、上記従来のＸ線造影糸としてモノフィラメント糸又はマルチフィラメント糸を用いた医療用ガーゼでは、次のような問題がある。上述のモノフィラメント糸からなるＸ線造影糸は、単一のフィラメントであるから造影性が高く、Ｘ線画像上での視認性に優れるが、引張り強度が低いため、織機でガーゼに織り込む際に伸長し易く、取扱い上の不便があり、また、ガーゼに織り込まれた状態では、ピンセット等で摘まれた場合にちぎれてしまう虞がある。一方、上述のマルチフィラメント糸からなるＸ線造影糸は、引張り強度に優れるが、細いフィラメントの集合体であるため、造影性が低く、Ｘ線画像上での視認性に劣る。
【０００７】
本発明は、上記の点に鑑みてなされたものであり、造影性が高く、Ｘ線画像上での視認性に優れ、かつ、Ｘ線造影糸がちぎれ難い医療用ガーゼを提供することを目的とする。
【課題を解決するための手段】
【０００８】
上記の課題を解決するために、本発明は、互いに交差する複数の経糸及び緯糸を構成糸とし、少なくとも１本の構成糸としてＸ線造影糸が織り込まれた医療用ガーゼであって、
前記Ｘ線造影糸は、引張り強度が高い芯糸の周りをＸ線不透過性の造影層で被覆した複合糸であることを特徴とする。
【発明の効果】
【０００９】
本発明に係る医療用ガーゼによれば、造影性が高く、Ｘ線画像上での視認性に優れ、かつ、Ｘ線造影糸をちぎれ難くすることができる。
【図面の簡単な説明】
【００１０】
【図１】本発明の一実施形態に係る医療用ガーゼの要部を拡大して示す図である。
【図２】図１のＡ−Ａ線による断面を拡大して示す図である。
【発明を実施するための形態】
【００１１】
以下、本発明の一実施形態を図面に基づいて詳細に説明する。
図１及び図２に示すように、医療用ガーゼ１は、複数の経糸２及び緯糸３を構成糸として、これらを略等間隔で交互に交差するように矩形に平織りしたものであり、構成糸（図示の例では経糸２）の１本としてＸ線不透過性のＸ線造影糸４が所定の位置に織り込まれている。Ｘ線造影糸４は、１本のみ図示されているが、適宜、２本以上織り込んでもよい。
【００１２】
本実施形態では、経糸２及び緯糸３は、一例として、太さ４０番手の綿糸を採用しているが、適宜の太さとすることができ、また、綿糸に限らず、例えば、セルロース繊維、化学繊維、それらの混合体等、適宜の材料を用いることができる。
【００１３】
Ｘ線造影糸４は、硫酸バリウム、硫酸ナトリウム等のＸ線不透過性の造影剤を含有し、経糸２及び緯糸３よりも太く、本実施形態では、一例として、直径が約０．５ｍｍ〜０．８ｍｍ程度のものを使用しているが、その太さは適宜、決定することができる。Ｘ線造影糸４の詳細については後述する。
【００１４】
医療用ガーゼ１は、中央部に、経糸２及び緯糸３が略等間隔となるように平織した平織り部５が設けられ、端部の緯糸３が折り返えされた耳部６に、平織り部５よりも経糸２を密に織り込んだ密織り部７が設けられている。
【００１５】
平織り部５は、経糸２と緯糸３とが略一定の間隔をもって1本毎に上下交互に交差するように平織りされている。経糸２及び緯糸３の間隔は、任意であり、適宜決定することができるが、本実施形態では、１インチ（２．５４ｃｍ）当り３０本の経糸２及び緯糸３が配置されるように設定されている（インチ本数（経×緯）＝３０×３０）。
【００１６】
これに対して、密織り部７は、隣接する経糸２どうしが互いに接触するように複数の経糸２が密に織り込まれて、所定の幅に形成されている。また、密織り部７は、図示の例では、８本の経糸２によって構成されて、それらの経糸２は、２本毎に上下交互に緯糸３と交差しているが、経糸２の本数及び緯糸３との交差の形態は、適宜変更してもよい。
【００１７】
そして、Ｘ線造影糸４は、中央の平織り部５と、端部の密織り部７との間に配置され、一側に、密織り部７を構成する経糸２が接触し、他側に、密に織り込まれていない平織り部５を構成する経糸２が接触している。
【００１８】
次に、Ｘ線造影糸４について詳細に説明する。
Ｘ線造影糸４は、引張り強度の高い芯糸４Ａの周りをＸ線不透過性の造影層４Ｂで被覆した複合糸からなるモノフィラメント糸である。Ｘ線造影糸４は、本実施形態では、一例として、直径約０．２ｍｍ程度の芯糸４Ａの回りを造影層で被覆して直径約０．５〜０．８ｍｍ程度としたものを使用しているが、芯糸４Ａ及び造影層４Ｂの径は、適宜、決定することができる。
【００１９】
芯糸４Ａとしては、天然繊維、化学繊維あるいはこれらの組み合わせからなる糸体で、モノフィラメント、マルチフィラメントいずれの構造であってもよいが、引張り強度、柔軟性及び外周部の凹凸による造影層４Ｂとの結合性を考慮すると、マルチフィラメント糸であることが望ましい。芯糸４Ａの材質は、一例として、ポリエステル、ポリプロピレン、レーヨン、キュプラ等とすることができるが、合成繊維、再生繊維、天然繊維あるいは無機繊維であってもよく、引張り強度、柔軟性、造影層４Ｂとの結合性等を考慮して、適宜決定するとよい。
【００２０】
造影層４Ｂは、例えば、Ｘ線不透過性の造影剤を含有する合成樹脂等とすることができ、造影剤としては、例えば硫酸バリウム、硫酸ナトリウム等を使用することができ、また、合成樹脂としては、例えば、シリコン系樹脂、ポリ塩化ビニル樹脂、ポリプロピレン樹脂、ポリエステル樹脂、ポリエチレン樹脂等の熱可塑性樹脂を用いることができる。造影剤及び合成樹脂及びこれらの配合は、柔軟性、Ｘ線画像上での造影性、視認性、安定性及び人体に対する影響等を考慮して適宜決定するとよい。
【００２１】
以上のように構成した本実施形態の作用について次に説明する。
医療用ガーゼ１は、手術等において、患者の体内で使用した場合、術後、Ｘ線撮影を行なうことにより、Ｘ線画像に映し出されるＸ線造影糸４によって、取り残しを容易に確認することができる。
【００２２】
Ｘ線造影糸４は、引張り強度の高い芯糸４Ａの周りをＸ線不透過性の造影層４Ｂで被覆した複合糸からなるモノフィラメント糸としたので、造影層４ＢによってＸ線画像上での造影性及び視認性を高めることができる。その結果、術後のＸ線撮影によって、医療用ガーゼ１に取り残しを容易に確認することができる。また、Ｘ線造影糸４は、芯糸４Ａによっての引張り強度が高められているので、織機でガーゼに織り込む際に伸長し難く、取扱いに便宜であると共に、ガーゼに織り込まれた状態でピンセット等で摘まれた場合でも容易にちぎれる千切れることがない。
【００２３】
ガーゼに織り込まれたＸ線造影糸４は、長手方向に引張られたとき、交差する緯糸３との摩擦力及び隣接する経糸２との摩擦力が抵抗力となる。このとき、本実施形態では、Ｘ線造影糸４は、隣接する経糸２どうしが接触するように複数の経糸２が密に織り込まれた密織り部７に隣接して接触するように織り込まれているので、引張られたＸ線造影糸４によって、これと交差する緯糸３が引き摺られる際、引き摺られて傾斜した緯糸３によって耳部６側に引き寄せられて、密織り部７に押し付けられることになる。密織り部７は、その端部が緯糸３を折り返した耳部６によって確実に支持され、密に織り込まれた経糸２によってＸ線造影糸４の耳部６側への移動を抑止するので、Ｘ線造影糸４が経糸２に強く押し付けられ、その摩擦力が増大することにより、Ｘ線造影糸４が抜け難くなる。したがって、ピンセット等によって摘まれた場合でも、簡単に抜け落ちることがない。
【００２４】
なお、上記実施形態では、医療用ガーゼ１は、一例として矩形に平織りされたものを示しているが、この形態に限らず、例えば、綾織り、朱子織など、各種任意の織り形態を採用してもよく、任意の形状とすることができる。また、上記実施形態では、医療用ガーゼ１の製造上の利便性から、Ｘ線造影糸４を経糸として織り込んでいるが、緯糸として織り込んでもよい。
【符号の説明】
【００２５】
１  医療用ガーゼ、２  経糸、３  緯糸、４  Ｘ線造影糸、４Ａ  芯糸、４Ｂ  造影層
【図１】
2011239827.tif 000003
【図２】
2011239827.tif 000004